(57)【要約】      （修正有）【課題】加工した金属板を使い、狭いカウンター天板の面積を広げる事により、利便性、安全性を向上させる、カウンター天板拡張器を提供する。【解決手段】曲げ加工された２枚の金属板とＵの字に加工した金具とを備え、前記２枚の金属板の一方には、ボルトが取付けられ、他方の金属板には長穴が開けられ対面式のキッチンの天板に取付け、前記金具で拡張板を固定して天板の面積を広げ、食器を多く載せる事が可能なカウンター天板拡張用の器具。【選択図】図２
0003233727.tif 000002
【実用新案登録請求の範囲】
【請求項１】
既存の対面式キッチンの天板に取り付け、金具で拡張板を固定して天板の面積を広げ、食器等を多く載せることが出来るようにする器具。
【考案の詳細な説明】
【技術分野】
【０００１】本考案品は、曲げ加工された金属板にボルト、ナットを取り付けて、既存カウンター天板に拡張板を設置する器具である。
【技術背景】
【０００２】既存の狭い天板に食器等を置く場合、少ししか置けず、又、ちょっと接触すると落下する事があった。又、大皿等は置けないことが有った。
【先行技術文献】
【特許文献】
【０００３】
【特許文献１】
【非特許文献】
【０００４】
【非特許文献１】
【考案の概要】
【考案が解決しようとする課題】
【０００５】天板の幅が狭いと、食器、料理等を置くスペースが足りず、落下の危険もあり、対面式キッチンの場合、テーブルに運ぶ労力も必要であった。
天板のスペースを広げる事で、より多くの食器、料理等を置くことが出来るようににする物である。
【課題を解決する為の手段】
【０００６】本考案は、既存の天板に、ボルト、ナット等を取り付け、曲げ加工した金属板を天板の両サイドに固定し、更にその金属板に、金具で拡張用の板を固定する事で天板の有効スペースを拡張し、狭いスペースに因る問題を解決する。
【考案の効果】
【０００７】上述の様に、本考案のカウンター天板拡張器は食器、料理等の提供スペースを広げ、尚且つ、これらの落下を防ぎ、更にダイニングテーブルまでの運搬労力を軽減する事に役立つ。
【図面の簡単な説明】
【０００８】
【図１】本考案のカウンター天板拡張器の各部品の正面、側面図である。
【０００９】
【図２】本カウンター天板拡張器、拡張板を取り付けた全体図である。
【考案を実施するための形態】
【０００９】曲げ加工された金属板を２枚重ね合わせる。１枚にはもう一方の１枚と固定する為にボルトが取り付けられている。
他方の１枚には長穴が開けられて、ボルトを取り付けた方と重ね合わせ、カウンターに取り付ける幅に合わせて、ずれないようにナットで固定する。
２枚の金属板の曲げ加工したした側には、端部から少し離れた位置の上面にナットとボルトが取り付けられ、ボルトを通す穴が開いている。
２枚を重ね、曲げた方を天板の両側に合わせ挟み込み、重ね部のナットを締める。
更に、両端のボルトを締め、天板に固定する。
両端の天板と金属板の隙間に、コの字に加工した金具（拡張用の板を挟むためのボルトナットが取り付けられている）を取り付け、拡張用の板を固定する。
【実施例】
【００１０】以下に添付図面に従って、実施例を説明する。
１ａ、１ｂ共、折り曲げ加工された金属板。両方とも同寸法。２ａは、溶接留めされたナット。２ｂは６角ボルトで、曲げ加工された金属板には、６角ボルト、２ｂが貫通する為の穴が開けられてある。１ａにはボルト１ｃが溶接留めされてあり、１ｂには１ａと重ねた時に、１ｃのボルトが貫通するための長穴、１ｄが開けられてある。１ｃは６角ボルト１ｅで固定する。
これは、天板の挟み込み幅を調整する役割を持つ。【００１１】３ａ、３ｂは、同寸法で曲げ加工した金属板で、ナット４ａが溶接留めされてある。４ｂは、拡張する板を挟み込む為の６角ボルトで、３ａ、３ｂの金属板には４ｂが貫通する為の穴が開けられてある。
これらの部品を使い、拡張用の板を、既存のカウンター天板に固定する。【００１２】本考案の実施例は、上述の様な構成から成り、既存のカウンター天板を加工する事無く、天板面積を大幅に広げ、食器、料理等の提供を容易にし、作業の軽減、安心につながり、不要の場合は取り外すことも簡便である。
【符号の説明】
【００１３】１ａ、１ｂ    曲げ加工された金属板  （長）
１ｃ          ボルト
１ｅ          ナット
２ａ          ナット
２ｂ          ６角ボルト
３ａ、３ｂ    曲げ加工された金属板  （短）
４ａ          ナット
４ｂ          ６角ボルト
【配列後フリーテキスト】
【図１】
0003233727.tif 000003
【図２】
0003233727.tif 000004
【手続補正書】
【提出日】令和3年5月25日(2021.5.25)
【手続補正１】
【補正対象書類名】実用新案登録請求の範囲
【補正対象項目名】全文
【補正方法】変更
【補正の内容】
【実用新案登録請求の範囲】
【請求項１】
曲げ加工された２枚の金属板とＵの字に加工した金具とを備え、前記２枚の金属板の一方には、ボルトが取付けられ、他方の金属板には長穴が開けられ対面式のキッチンの天板に取付け、前記金具で拡張板を固定して天板の面積を広げ、食器を多く載せる事が可能なカウンター天板拡張用の器具。
【手続補正２】
【補正対象書類名】明細書
【補正対象項目名】全文
【補正方法】変更
【補正の内容】
【考案の詳細な説明】
【技術分野】
【０００１】本考案品は、曲げ加工された金属板にボルト、ナットを取り付けて、既存カウンター天板に拡張板を設置する器具である。
【技術背景】
【０００２】既存の狭い天板に食器等を置く場合、少ししか置けず、又、ちょっと接触すると落下する事があった。又、大皿等は置けないことが有った。
【先行技術文献】
【特許文献】
【０００３】
【特許文献１】
【非特許文献】
【０００４】
【非特許文献１】
【考案の概要】
【考案が解決しようとする課題】
【０００５】天板の幅が狭いと、食器、料理等を置くスペースが足りず、落下の危険もあり、対面式キッチンの場合、テーブルに運ぶ労力も必要であった。
天板のスペースを広げる事で、より多くの食器、料理等を置くことが出来るようにする物である。
【課題を解決する為の手段】
【０００６】本考案は、既存の天板に、ボルト、ナット等を取り付け、曲げ加工した金属板を天板の両サイドに固定し、更にその金属板に、金具で拡張用の板を固定する事で天板の有効スペースを拡張し、狭いスペースに因る問題を解決する。
【考案の効果】
【０００７】上述の様に、本考案のカウンター天板拡張器は食器、料理等の提供スペースを広げ、尚且つ、これらの落下を防ぎ、更にダイニングテーブルまでの運搬労力を軽減する事に役立つ。
【図面の簡単な説明】
【０００８】
【図１】本考案のカウンター天板拡張器の各部品の正面、側面図である。
【０００９】
【図２】本カウンター天板拡張器、拡張板を取り付けた全体図である。
【考案を実施するための形態】
【０００９】曲げ加工された金属板を２枚重ね合わせる。１枚にはもう一方の１枚と固定する為にボルトが取り付けられている。
他方の１枚には長穴が開けられて、ボルトを取り付けた方と重ね合わせ、カウンターに取り付ける幅に合わせて、ずれないようにナットで固定する。
２枚の金属板の曲げ加工したした側には、端部から少し離れた位置の上面にナットとボルトが取り付けられ、ボルトを通す穴が開いている。
２枚を重ね、曲げた方を天板の両側に合わせ挟み込み、重ね部のナットを締める。
更に、両端のボルトを締め、天板に固定する。
両端の天板と金属板の隙間に、コの字に加工した金具（拡張用の板を挟むためのボルトナットが取り付けられている）を取り付け、拡張用の板を固定する。
【実施例】
【００１０】以下に添付図面に従って、実施例を説明する。
１ａ、１ｂ共、折り曲げ加工された金属板。両方とも同寸法。１ｃは、溶接留めされたナット。１ｄは６角ボルトで、曲げ加工された金属板には、６角ボルト、１ｃが貫通する為の穴が開けられてある。１ａにはボルト１ｃが溶接留めされてあり、１ｂには１ａと重ねた時に、１ｃのボルトが貫通するための長穴、１ｅが開けられてある。１ｃは６角ボルト１ｄで固定する。
これは、天板の挟み込み幅を調整する役割を持つ。【００１１】２ａ、は、同寸法で曲げ加工した金属板で、ナット２ｃが溶接留めされてある。
２ｂは、拡張する板を固定する為の６角ボルトで、２ａには、２ｂが貫通する穴が開けられてある。
これらの部品を使い、拡張用の板を、既存のカウンター天板に固定する。【００１２】本考案の実施例は、上述の様な構成から成り、既存のカウンター天板を加工する事無く、天板面積を大幅に広げ、食器、料理等の提供を容易にし、作業の軽減、安心につながり、不要の場合は取り外すことも簡便である。
【符号の説明】
【００１３】１ａ、１ｂ    曲げ加工された金属板  （長）
１ｃ          ボルト
１ｄ          ナット
１ｅ          長穴
２ａ          曲げ加工された金属板  （短）
２ｂ          ６角ボルト
２ｃ          ナット
【手続補正３】
【補正対象書類名】図面
【補正対象項目名】全図
【補正方法】変更
【補正の内容】
【図１】
0003233727.tif 000005
【図２】
0003233727.tif 000006